(57)【要約】【課題】ユーザが放送コンテンツ等何らかのコンテンツを聴取中、聴取画面において広告により紹介された番組を容易に予約可能な放送番組予約装置および放送番組予約方法を提供する。【解決手段】放送受信部２１は放送を受信する。広告受信部２３は放送受信部２１により受信される放送により配信される放送番組に対する番組広告情報３５１を受信する。表示部３１は広告受信部２３により受信された番組広告情報３５１に基づき番組広告を表示する。操作部２５は表示部３１に表示された番組広告を操作する。制御部１０は操作部２５による番組広告への操作を検出すると、番組広告情報３５１に基づき、放送番組の予約を設定する。【選択図】図１
2011244059.tif 000002
【特許請求の範囲】
【請求項１】
放送を受信する放送受信部、
前記放送受信部により受信される放送により配信される放送番組に対する番組広告情報を受信する広告受信部、
前記広告受信部により受信された前記番組広告情報に基づき番組広告を表示する表示部、
前記表示部に表示された前記番組広告を操作する操作部、
前記操作部による前記番組広告への操作を検出すると、前記番組広告情報に基づき、前記放送番組の予約を設定する制御部、
を備えることを特徴とする放送番組予約装置。
【請求項２】
前記広告受信部により受信される番組広告情報には、前記制御部により前記番組の予約の設定を行うための番組予約情報が含まれていることを特徴とする、
請求項１に記載の放送番組予約装置。
【請求項３】
前記広告受信部は、外部ネットワークを介して前記番組広告情報を受信することを特徴とする、
請求項１または２に記載の放送番組予約装置。
【請求項４】
前記制御部は、前記放送受信部により受信される放送に基づき外部ネットワークを介して配信される配信番組の予約を設定することを特徴とする、
請求項１から３のいずれかに記載の放送番組予約装置。
【請求項５】
放送を受信する放送受信部に放送を受信させるステップ、
前記放送受信部により受信される放送により配信される放送番組に対する番組広告情報を広告受信部により受信する広告受信ステップ、
前記広告受信部により受信された前記番組広告情報に基づき番組広告を表示部に表示する表示ステップ、
前記表示部に表示された前記番組広告を操作部により操作する操作ステップ、
前記操作部による前記番組広告への操作を検出すると、前記番組広告情報に基づき、制御部により前記放送番組の予約を設定する予約設定ステップ、
を備えることを特徴とする放送番組予約方法。
【発明の詳細な説明】
【技術分野】
【０００１】
本発明は、放送コンテンツの予約を行う、放送番組予約装置および放送番組予約方法に関する。
【背景技術】
【０００２】
テレビ放送やラジオ放送の放送コンテンツを予約記録や予約視聴を行う装置が一般的に普及している。これらの予約は、放送番組のチャンネル情報や時間情報に基づき、ユーザが予約設定やＧコード（登録商標）の入力によって行う。またはＥＰＧ（Electronic Program Guide）によって取得した番組データに基づいて表示される番組表より番組を選択して予約を行う。
【先行技術文献】
【特許文献】
【０００３】
【特許文献１】特開平０８−２２６５３号公報
【特許文献２】特開２００９−２３９９１５号公報
【発明の概要】
【発明が解決しようとする課題】
【０００４】
しかし、上記のような予約設定は操作が複雑であるとともに、番組表による予約においても、所望の番組を番組表から検索する操作を行う必要がある。また、いずれの予約設定においてもユーザが予め予約したい番組を認識している必要がある。
【０００５】
特許文献１には、表示された番組表より任意の番組を指定することによって番組を予約する予約装置が開示されている。また、特許文献２には、キーワード等により容易に番組予約を行う音声映像情報処理装置が開示されている。
【０００６】
これら従来の技術においては、例えば何らかの放送コンテンツを聴取中、ユーザが興味を有する番組の紹介等が放送コンテンツにより紹介された場合、紹介された放送コンテンツの予約を行うには、紹介された放送コンテンツの日時等を記憶し、または他の手段によって日時等を検索してから、予約画面による予約を必要とする。
【０００７】
本発明はこのような問題点に鑑みなされたものであり、ユーザが放送コンテンツ等何らかのコンテンツを聴取中、聴取画面において広告により紹介された番組を容易に予約可能な放送番組予約装置および放送番組予約方法を提供することを目的とする。
【課題を解決するための手段】
【０００８】
上記目的を達成するために、第１の発明に係る放送番組予約装置（１００）は、放送を受信する放送受信部（２１）、前記放送受信部（２１）により受信される放送により配信される放送番組に対する番組広告情報（３５１）を受信する広告受信部（２３）、前記広告受信部（２３）により受信された前記番組広告情報（３５１）に基づき番組広告を表示する表示部（３１）、前記表示部（３１）に表示された前記番組広告を操作する操作部（２５）、前記操作部（２５）による前記番組広告への操作を検出すると、前記番組広告情報（３５１）に基づき、前記放送番組の予約を設定する制御部（１０）、を備えることを特徴とする。
【０００９】
第２の発明に係る放送番組予約装置（１００）は、第１の発明において、前記広告受信部（２３）により受信される番組広告情報（３５１）には、前記制御部（１０）により前記番組の予約の設定を行うための番組予約情報が含まれていることを特徴とする。
【００１０】
第３の発明に係る放送番組予約装置（１００）は、第１または第２の発明において、前記広告受信部（２３）は、外部ネットワーク（４００）を介して前記番組広告情報（３５１）を受信することを特徴とする。
【００１１】
第４の発明に係る放送番組予約装置（１００）は、第１から第３のいずれかの発明において、前記制御部（１０）は、前記放送受信部（２１）により受信される放送に基づき外部ネットワーク（４００）を介して配信される配信番組の予約を設定することを特徴とする。
【００１２】
第５の発明に係る放送番組予約方法は、放送を受信する放送受信部（２１）に放送を受信させるステップ、前記放送受信部（２１）により受信される放送により配信される放送番組に対する番組広告情報（３５１）を広告受信部（２３）により受信する広告受信ステップ、前記広告受信部（２３）により受信された前記番組広告情報（３５１）に基づき番組広告を表示部（３１）に表示する表示ステップ、前記表示部（３１）に表示された前記番組広告を操作部（２５）により操作する操作ステップ、前記操作部（２５）による前記番組広告への操作を検出すると、前記番組広告情報（３５１）に基づき、制御部（１０）により前記放送番組の予約を設定する予約設定ステップ、を備えることを特徴とする。
【発明の効果】
【００１３】
本発明によれば、ユーザが放送コンテンツ等何らかのコンテンツを聴取中、聴取画面において広告により紹介された番組を容易に予約可能な放送番組予約装置および放送番組予約方法を提供することができる。
【図面の簡単な説明】
【００１４】
【図１】本発明における放送番組予約装置のブロック図である。
【図２】本発明における放送番組予約装置のコンテンツ聴取画面表示例として、Ｗｅｂコンテンツの聴取画面の模式図である。
【図３】Ｗｅｂコンテンツの聴取画面を構成する構成要素の例を示した図である。
【図４】本発明における放送番組予約装置のコンテンツ聴取画面表示例として、放送コンテンツの聴取画面の模式図である。
【図５】放送コンテンツの聴取画面を構成する構成要素の例を示した図である。
【図６】本発明における第１の実施例に係る放送コンテンツ予約動作を表すフローチャートである。
【図７】本発明における第１の実施例に係る放送コンテンツ予約操作に伴う画面表示例を示した模式図である。
【図８】本発明における第２の実施例に係る放送コンテンツ予約動作を表すフローチャートである。
【図９】本発明における第２の実施例に係る放送コンテンツ予約操作に伴う画面表示例を示した模式図である。
【発明を実施するための形態】
【００１５】
以下、本発明における放送番組予約装置１００について、図１を参照して説明する。図１は本発明の放送番組予約装置１００を構成するブロック図である。放送番組予約装置１００は、例えば据え置き型や携帯型のレコーダ等放送受信機能を有する装置、テレビ放送受信装置、ラジオ放送受信装置、ＰＣ（Personal Computer）、携帯電話、ナビゲーション装置等、放送コンテンツを受信し記録可能な装置であれば各種装置が対象となる。
【００１６】
放送番組予約装置１００は、制御部１０、放送受信部２１、復調部２２、通信部２３、記憶部２４、操作部２５、音声制御部２６、表示制御部２７を備える。
【００１７】
制御部１０は、例えばＣＰＵ（Central Processing Unit）であり、ＲＡＭ（Random Access Memory）、ＲＯＭ（Read Only Memory）等を備えて構成される。制御部１０は後述する各部の動作をＲＡＭやＲＯＭに記憶されたプログラムやデータに基づき制御する。
【００１８】
放送受信部２１は、例えばアナログラジオチューナ、デジタルラジオチューナ、地上デジタルＴＶチューナ、ＢＳ／ＣＳデジタルＴＶチューナである。また、放送受信部２１は、制御部１０による制御により所定の周波数を選択し、放送受信部２１に接続されたアンテナ２０により受信したＲＦ（Radio Frequency）信号をＩＦ（Intermediate Frequency）信号に変換し、復調部２２に送出する。
【００１９】
復調部２２は、放送受信部２１から送出されたＩＦ信号を復調し、音声信号や映像信号として制御部１０へ送出する。復調部２２は、放送受信部２１により受信する放送がデジタル放送である場合は、復調したデジタル信号に対して誤り訂正処理やデコード処理等を行い、制御部１０へ送出する。
【００２０】
通信部２３は、例えばＩＰ（Internet Protocol）通信網などの外部ネットワーク４００を介して、図示しない外部のサーバ等と通信を行い、各種情報の送受信を行う。通信部２３は、例えば、ユーザがＷｅｂサイトを聴取するときは、そのＷｅｂサイトに関する各種情報を受信する。また、通信部２３は、後述する番組広告情報を受信する。
【００２１】
記憶部２４は、例えばＨＤＤ（Hard disk drive）やフラッシュメモリ等により構成され、各種データを記憶する。また、記憶部２４は、各種コンテンツデータを記憶し、放送コンテンツの予約により記録される放送コンテンツを記憶する。さらに記憶部２４は、表示部３１に表示するための各種画面情報を予め記憶し、他の情報を付加して表示する。
【００２２】
操作部２５は、放送番組予約装置１００をユーザが操作する各種デバイスであり、例えば、放送番組予約装置１００に備えられている各種操作キー、後述する表示部３１に備えられているタッチパネル、放送番組予約装置１００との赤外線通信等を行う図示しないリモコン装置等である。
【００２３】
音声制御部２６は、例えばＤＳＰ（Digital Signal Processor）およびＤＡＣ（Digital Analog Converter）とから構成される。ＤＳＰは制御部１０から送出された音声データに対して、デコード処理や音質や音場の補正等を行い、ＤＡＣはＤＳＰによりデコードされた音声データをデジタル信号からアナログ信号に変換し、後述する音声出力部３０に出力する。
【００２４】
音声出力部３０は、例えば音声出力端子やスピーカ端子または、放送番組予約装置１００と一体に備えられたスピーカ等である。音声出力部３０は、音声制御部２６によりアナログ信号に変換された音声信号を、音声出力端子に接続されたヘッドフォンや他の機器、またはスピーカ端子に接続されたスピーカに出力する。
【００２５】
表示制御部２７は、例えばＤＳＰ等により構成され、制御部１０から送出された映像データに対して、デコード処理や画質調整等を行い、後述する表示部３１に出力する。
【００２６】
表示部３１は、例えば外部モニタ装置、テレビ装置に加えて、放送番組予約装置１００と一体に備えられえた表示装置であってもよい。表示部３１は、例えば液晶表示装置や有機ＥＬ（Electro Luminescence）表示装置により構成される。
【００２７】
次に、放送番組予約装置１００を用いたコンテンツ聴取画面表示例とコンテンツ聴取画面の構成要素について、図２から図５を用いて説明する。図２は、放送番組予約装置１００を用いてＷｅｂコンテンツを聴取しているときの表示例であり、図３は、図２の表示画面を構成する構成要素の例である。図２に示す画面構成、例えばＨＴＭＬ（HyperText Markup language）やＸＭＬ（Extensible Markup language）の記述等により構成され、外部ネットワーク４００を介して通信部２３により受信する。
【００２８】
図２において、表示部３１は放送番組予約装置１００を構成する表示部３１の表示画面を模式的に示したものである。図２において表示部３１に表示されているコンテンツ情報表示部３００は、後述するメインコンテンツ表示部３３０に表示されているメインコンテンツ３３１に係る情報を表示する。図２の例においては、メインコンテンツ３３１であるＷｅｂコンテンツのＵＲＬ（Uniform Resource Locator）情報を表示している。
【００２９】
ツール表示部３１０は、表示部３１に表示されている各種コンテンツに関連する各種情報や放送番組予約装置１００に関する各種情報さらには各種操作ツールを表示する。図２においては、聴取しているメインコンテンツ３３１がＷｅｂコンテンツであるために、表示しているＷｅｂコンテンツに対して各種処理を行うツールがアイコンとして表示されている。一例として、戻るアイコン３１１は操作部２５による操作によって現在メインコンテンツ表示部３３０に表示されている表示内容から直前に表示した内容を表示することができる。同様に進むアイコン３１２は、現在メインコンテンツ表示部３３０に表示されている表示内容が戻るアイコン３１１の操作により戻されている場合、戻るアイコン３１１で戻る前の表示を行うことができる。
【００３０】
印刷アイコン３１３は、操作部２５による操作によってコンテンツ予約装置１００に接続された図示しないプリンタ等により、メインコンテンツ表示部３３０に表示されているメインコンテンツ３３１等を印刷することができる。保存アイコン３１４は、操作することにより、メインコンテンツ３３１の内容を記憶部２４に記憶することができる。
【００３１】
メインコンテンツ表示部３３０は、ユーザが聴取対象としたメインコンテンツ３３１を表示する。図２の例においてはＷｅｂコンテンツを聴取対象としているため、コンテンツ情報表示部３００に表示されているＵＲＬにおけるサーバ等から受信したＷｅｂコンテンツを表示する。メインコンテンツ表示部３３０に表示されるメインコンテンツ３３１は、図３に示すように例えば画像情報、動画情報、音声情報、リンク情報等により構成されている。
【００３２】
情報コンテンツ表示部３４０は、Ｗｅｂコンテンツなどのメインコンテンツ３３１の聴取に付加して、ユーザの利便性を考慮した情報コンテンツ３４１を表示する。情報コンテンツ３４１は、図３に示すように、例えば画像情報、動画情報、リンク情報等により構成される。情報コンテンツ表示部３４０に表示される情報コンテンツ３４１の例としては、通信部２３により外部ネットワーク４００に接続する際のＩＰアドレス等によって放送番組予約装置１００が動作している地域が特定されている場合、その特定された地域に関連するニュースや天気予報等の情報が表示される。また、リンク情報が含まれている場合は、操作部２５により情報コンテンツ表示部３４０を操作することにより、その情報を配信しているサーバのＷｅｂコンテンツをメインコンテンツ表示部３３０に表示または別画面として表示部３１に表示することができる。
【００３３】
番組バナー広告表示部３５０は、ＴＶ放送やラジオ放送等によって放送される番組に係る番組バナー広告３５１を表示し、広告主である放送局の依頼によって表示される。広告対象となる番組は任意であるが、聴取しているＷｅｂコンテンツの内容に関連させ、または放送番組予約装置１００により聴取されたＷｅｂコンテンツの聴取履歴に基づくユーザの嗜好性、放送番組予約装置１００が動作している地域への関連付けなど、ユーザの属性に関連させた番組であってもよい。
【００３４】
番組バナー広告表示部３５０により表示される番組バナー広告３５１の構成は、図３に示すように画像情報、動画情報、リンク情報に加えて番組予約情報を有する。番組予約情報とは、表示部３１における番組バナー広告表示部３５０を操作部２５により操作することによって放送番組予約装置１００が、広告対象となっている番組の予約を可能とする情報である。番組予約情報の一例としては、放送局のチャンネル名または放送周波数、放送開始時刻および放送終了時刻である。これらに代えて番組を特定する各種コードであってもよい。
【００３５】
バナー広告表示部３６０は、例えば各種製品や各種サービス等の広告が表示され、広告主である製造販売者やサービスの提供者の依頼によって表示される。広告対象は任意であり、番組バナー広告３５１同様、聴取しているＷｅｂコンテンツやユーザ属性に関連させてもよい。バナー広告表示部３６０に表示される番組バナー広告３６１の構成は、図３に示すように、画像情報、動画情報、リンク情報等により構成されている。
【００３６】
図４は、放送番組予約装置１００を用いて放送コンテンツを聴取しているときの表示例であり、放送コンテンツの例としてラジオ放送を聴取している例を示す。図５は、図４の表示画面を構成する構成要素の例であり、  図４および図５においては、図２および図３と重複する説明は省略する。
【００３７】
図４の例において、コンテンツ情報表示部３００には、受信中の放送コンテンツに関する情報が表示されており、一例として、放送局名が「ＪＫ−ＦＭ」であり、受信周波数がＦＭの９９．６ＭＨｚであることを表示している。コンテンツ情報３００には、この他に聴取中の番組名やＤＪ名、楽曲名等を表示させてもよい。
【００３８】
ツール表示部３１０は、表示対象は図３に示した例と同様であるが、図４の例においては現在日時および時刻が表示されている。また、他の例として、受信中の放送コンテンツを記録するためのアイコン等、放送コンテンツの各種処理に係るアイコン等が表示されてもよい。
【００３９】
メインコンテンツ表示部３３０は、受信中の放送コンテンツまたは受信中の放送コンテンツに係るメインコンテンツ３３１を表示する。受信中の放送コンテンツがＴＶ放送である場合は、メインコンテンツ表示部３３０にはメインコンテンツ３３１としてＴＶ放送画面を表示する。受信中の放送コンテンツがラジオ放送である場合は、メインコンテンツ３３１としてラジオ放送に対応させてＩＰ配信される映像等を表示する。メインコンテンツ表示部３３０に表示されるメインコンテンツ３３１を構成する内容は、図５に示すように、画像情報、動画情報、音声情報等により構成される。また、ラジオ放送において対応した映像が無い場合は、音声情報をラジオ放送による音声情報として出力し、画像情報や動画情報は、放送番組予約装置１００の記憶部２４に記憶されている各種コンテンツを表示してもよい。
【００４０】
図４におけるメインコンテンツ表示部３３０へのメインコンテンツ３３１表示例として、放送コンテンツがラジオ放送である場合、ラジオ放送と同一内容の音声情報に加えて画像情報や動画情報がＩＰ配信されるサイマル放送の場合について説明する。放送番組予約装置１００における放送受信部２１において所定のラジオ放送を受信すると、制御部１０は受信したラジオ放送の受信レベルを取得するとともに、予めユーザにより入力されている放送番組予約装置１００を設置している位置を示す郵便番号や、通信部２３により管理しているＩＰアドレス等、放送番組予約装置１００の位置が特定可能な情報を、受信レベルとともに通信部２３により受信しているラジオ放送の放送局がＩＰ配信を行っている図示しないサーバに送信する。
【００４１】
次に、放送番組予約装置１００の位置が特定可能な情報と受信レベルに基づき、受信中のラジオ放送に関するＩＰ配信を許可する信号が、ラジオ放送の放送局がＩＰ配信を行っているサーバより返送される。このＩＰ配信を許可する信号に基づき、制御部１０は受信中のラジオ放送に関するＩＰ配信を行うサーバよりＩＰ配信情報を取得するよう、通信部２３を制御する。
【００４２】
ここで受信するＩＰ配信情報は、受信中のラジオ放送と同一の音声データに加えて、受信中のラジオ放送に係る画像や動画データ等である。この場合、放送受信部２１によるラジオ放送の受信に伴い、通信部２３が受信するラジオ放送と同一の音声データを音声出力部３０より出力し、ラジオ放送に係る画像データや動画データを、表示部３１に出力する。
【００４３】
情報コンテンツ表示部３４０は、図２同様ユーザの利便性を考慮した情報コンテンツ３４１を表示する。情報コンテンツ表示部３４０には、受信中のラジオ放送に基づきＩＰ配信されるメインコンテンツ３３１に関連する内容がメインコンテンツ３３１を配信するサーバあるいは関連するサーバより配信されてもよい。
【００４４】
番組バナー広告表示部３５０は、受信中のラジオ放送に基づきＩＰ配信されるメインコンテンツ３３１を配信するサーバあるいは関連するサーバより配信される番組バナー広告３５１を表示する。番組バナー広告表示部３５０に表示される番組バナー広告３５１の対象となる番組は、受信中のラジオ放送と同一放送局または関連放送局により提供される番組である。
【００４５】
バナー広告表示部３６０は、内容および構成は図２および図３同様であり、受信中のラジオ放送に基づきＩＰ配信されるコンテンツ３３０を配信するサーバあるいは関連サーバより配信されるバナー広告３６１を表示する。
【００４６】
次に、番組バナー広告表示部３５０に対する操作部２５による操作によって、広告対象の放送番組を予約する第１の実施例としての動作フローおよび動作に対応する表示画面について図６および図７を用いて説明する。
【００４７】
先ず、制御部１０は操作部２５によって番組バナー広告表示部３５０が操作されたか否かを判断する（ステップＳ１）。操作部２５による番組バナー広告表示部３５０の操作とは、例えば表示部３１に表示されている番組バナー広告表示部３５０に対して、操作部２５の操作に連動して表示部３１に表示されている図示しないカーソル等を番組バナー広告表示部３５０上に表示させた状態で、操作部２５によりユーザが決定動作を行う等の操作である。
【００４８】
ステップＳ１において、番組バナー広告表示部３５０が操作されたと判断された場合は、図７（ａ）に示すように、番組バナー広告表示部３５０の表示が反転表示されるなど、操作されたことが判別可能な表示が、制御部１０の指示により表示制御部を用いて行われる。図７（ａ）の構成は図４と同一のため説明は省略する。
【００４９】
ステップＳ１において、制御部１０は番組バナー広告表示部３５０が操作されていないと判断した場合（ステップＳ１：Ｎｏ）、番組バナー広告表示部３５０が操作されるまで待機する。制御部１０は番組バナー広告表示部３５０が操作されたと判断した場合（ステップＳ１：Ｙｅｓ）、操作を行った番組バナー広告表示部３５０に対応付けられている番組予約情報を取得する（ステップＳ２）。
【００５０】
ステップＳ２において取得する番組予約情報は、番組バナー広告３５１を構成するＨＴＭＬ情報等に記載されて番組バナー広告３５１を構成する画像情報や動画情報の配信と同時に配信される。ステップＳ２において番組予約情報を取得した後、制御部１０は取得した番組予約情報および記憶部２４に記憶されている番組予約画面情報に基づいて番組予約画面を表示する（ステップＳ３）。
【００５１】
ステップＳ３においては、図７（ｂ）に示すように、番組予約画面においてステップＳ２で取得した番組予約情報を含んだ表示を行う。図７（ｂ）は、番組予約画面の一例であり、番組の予約記録を行う画面である。
【００５２】
図７（ｂ）において、番組予約項目表示部３７０は、ステップＳ２で取得した番組予約情報に加えて、番組の予約記録に係る情報を修正選択可能に表示したものである。番組予約項目表示部３７０において、番組名表示部３７１は番組予約情報として取得した予約を行う番組の名称（タイトル）であり、メインのタイトルに加えてサブタイトルも表示されてもよい。
【００５３】
チャンネル表示部３７２は、番組予約情報として取得した、予約を行う番組のチャンネルに関する情報である。図７（ｂ）においては、ラジオ放送の番組予約の例であるため、チャンネル表示部３７２にはラジオ放送の放送局名「ＪＫ−ＦＭ」および放送周波数「９９．６ＭＨｚ」が表示されている。チャンネル表示部３７２には、これ以外にもプリセットされているチャンネル名、例えば「ｃｈ１」などを表示してもよい。
【００５４】
日時表示部３７３は、番組予約情報として取得した、予約を行う番組の開始時刻および終了時刻に加えて、番組を放送する曜日情報も表示される。図７（ｂ）の例においては、毎週火曜日に予約を行う設定を行っているため、「毎週」および「（火）」と表示されている。これ以外にも例えば「毎日」「曜日」等を操作部２５の操作により変更可能であり、連続放送番組の連続予約に対応可能である。デフォルトでは表示されずに予約操作を行った直近の放送のみの予約としてもよい。また「１９：００〜２０：００」は、番組予約情報として取得した、予約を行う番組の開始時刻および終了時刻であり、これも操作部２５の操作により変更可能である。
【００５５】
記録メディア表示部３７４は、予約記録を行う番組の記録先を選択する表示であり、ユーザの任意で設定可能である。図７（ｂ）においては「ハードディスク」と表示されており、記憶部２４を構成するＨＤＤに予約した番組を記録する。記録メディア表示部３７４は、デフォルトで「ハードディスク」が設定されていてもよく、他の記録先としては、図示しない光学式ディスクドライブに装填されたＤＶＤ−Ｒ（Digital Versatile Disk Recordable）等の記録可能なＤＶＤに記録する「ＤＶＤ」や、図示しないメモリカードスロットやＵＳＢ（Universal Serial Bus）端子に接続された、メモリカードやＵＳＢメモリ等の外部記録媒体に記録する「外部メモリ」などがある。
【００５６】
記録モード表示部３７５は、予約記録を行う番組の記録モードを選択する表示であり、ユーザの任意で設定可能である。図７（ｂ）においては「ＳＰ」と表示されており、予約記録する番組をＳＰ（Standard Play）モードで記録する。記録モード３７５は他にＨＱ（High Quality）モード「ＨＱ」、ＬＰ（Long Play）モード「ＬＰ」等がある。
【００５７】
操作表示部３８０は、例えば操作部２５や図示しないリモコンの操作部に対応する動作を行う表示である。操作表示部３８０の例として、決定操作部３８１は、操作部２５により操作されることによって番組予約項目表示部３７０で設定された項目の決定を行う。このため決定操作部３８１の操作によって、番組の予約が設定される。変更操作部３８２は、番組予約項目表示部３７０の各項目が選択されているときに操作されることによって、番組予約項目表示部３７０の各項目を変更する設定を行う。戻る操作部３８３は、操作されることによって表示部３１に表示されている番組予約画面の直前に表示されていた画面へ戻る動作を行う。図７（ｂ）の場合は戻る操作部３８３の操作によって、図７（ａ）の画面に戻る。
【００５８】
タイムバー表示部３８５は、記憶部２４の残容量や記録可能時間を表示する。タイムバー表示部３８５は、例えば記録メディア表示部３７４で設定されている記録メディアに対して、記録モード表示部３７５で設定されている記録モードで記録した場合の記録可能時間を表示する。図７（ｂ）の例においては、ラジオ放送の録音を、記憶部２４を構成するＨＤＤに記録形式「ＭＰ３  ＳＰ」で記録する場合、６３２．４４分の記録が可能であることを示している。「ＭＰ３  ＳＰ」とは放送番組予約装置の設定名称の一例であり、記録方式がＭＰ３（MPEG Audio Layer-3）形式であり、ＳＰとは一例としてビットレートが１９２ｋｂｐｓの場合であり、ＬＰである場合は一例としてビットレートが１２８ｋｂｐｓなどである。
【００５９】
図６に戻り、図７（ｂ）に示される番組予約画面が表示された後、制御部１０は操作部２５が操作されることによって戻る操作部３８３が操作されたか否かを判断する（ステップＳ４）。ステップＳ４において戻る操作部３８３が操作されたと判断した場合は（ステップＳ４：Ｙｅｓ）、表示部３１には図７（ａ）の画面に戻り、番組バナー広告表示部３５０が操作されたか否かを判断する（ステップＳ１）。ステップＳ４において戻る操作部３８３が操作されていないと判断した場合は（ステップＳ４：Ｎｏ）、制御部１０は操作部２５が操作されることによって変更操作部３８２が操作されたか否かを判断する（ステップＳ５）。
【００６０】
ステップＳ５において変更操作部３８２が操作されたと判断した場合は（ステップＳ５：Ｙｅｓ）、番組予約項目表示部３７０において選択されている項目の変更操作が可能となる（ステップＳ６）。ステップＳ６において番組予約項目表示部３７０における各項目の変更を行った後、制御部１０は操作部２５が操作されることによって決定操作部３８１が操作されたか否かを判断する（ステップＳ７）。  ステップＳ５において変更操作部３８２が操作されていないと判断した場合（ステップＳ５：Ｎｏ）においても、制御部１０は操作部２５が操作されることによって決定操作部３８１が操作されたか否かを判断する（ステップＳ７）。
【００６１】
ステップＳ７において決定操作部３８１が操作されていないと判断した場合は（ステップＳ７：Ｎｏ）、ステップＳ４に戻り、戻る操作部３８３、変更操作部３８２、決定操作部３８１のいずれかが操作されるまで待機する。ステップＳ７において決定操作部３８１が操作されたと判断した場合は（ステップＳ７：Ｙｅｓ）、番組予約項目表示部３７０に表示された内容での番組予約が設定される（ステップＳ８）。ステップＳ８において番組の予約が設定されると、本処理は終了する。
【００６２】
図７（ｃ）は、ステップＳ８において番組の予約が設定された後の予約番組を確認する表示画面例である。図７（ｃ）において、予約一覧選択部３９０は番組予約を行った放送メディアを選択や、予約記録の記録モードを変更する操作を行う表示となっている。図７（ｃ）は、ラジオ放送の番組予約の一覧を表示した例であり、予約選択部３９０においては「ラジオ」が選択されており、表示が反転表示など選択されていることが判別可能な表示となっている。
【００６３】
予約番組関連情報表示部３９１は、番組の予約一覧において選択されている予約番組に関連する画像情報等を表示する。図７（ｃ）においては、予約番組一覧３９２における予約番組３９４が選択されているため、一例として予約番組３９４の放送局のロゴが表示されている。この放送局のロゴは予め記憶部２４に記憶されていてもよく、また番組予約時に番組バナー広告３５１に含まれているリンク情報に基づき通信部２３を介してリンク先である放送局のサーバより取得してもよい。
【００６４】
予約番組関連情報表示部３９１の各予約番組を説明すると、予約番組３９３は１週間のうち特定の曜日における、放送周波数ＡＭ１１３６ｋＨｚであり、予約時刻が１９：００から２０：００について予約が行われていることを示す。予約番組３９４も同様であり、放送周波数がＦＭ９９．６ＭＨｚであり、予約時刻が１９：００から２０：００についての予約であることを示す。
【００６５】
予約番組３９５は毎日の予約が設定されており、放送周波数がＦＭ８３．５ＭＨｚであり、予約時刻が１０：００から１０：３０の予約であることを示す。予約番組３９６は４月６日のみの予約であり、放送周波数がＦＭ８９．６ＭＨｚ、予約時刻は１９：００から１９：５９であることを示す。
【００６６】
予約番組３９７は、毎週特定曜日の予約であり、番組予約３９５のような表示ではなく、ユーザが番組名として「ＦＭ  ８８．８ＭＨｚ  ２２：００〜２２：５５」と入力したことによる表示形態である。予約番組３９８も同様にユーザが番組名として「ＪｅｔＳｔｏｒｍ  ＦＭ−Ｔｏｙｏ  ２３：００〜２３：５８」と入力したことによる表示形態である。このように予約一覧において予め設定された表示形態に加えて、ユーザ設定による分かりやすい表示を行うことも可能である。
【００６７】
図７（ｃ）において、予約番組３９４が選択されており、操作部２５を用いて予約番組３９４を操作すると、図７（ｂ）に示す番組予約画面が表示され、番組名表示部３７１の操作等により予約番組の表示形態や予約内容が変更可能である。また、図７（ｃ）において予約番組のいずれかが選択された状態で予約選択部３９０の「モード変換」を操作すると、選択されている予約番組の記録モードを容易に変更することができる。
【００６８】
上記のような操作によって、放送番組予約装置１００は、表示部３１に表示された番組バナー広告表示部３５０を操作することで、容易にその放送番組を予約することができる。このため、ユーザの興味対象であるにも係らずユーザが存在を認識していなかった番組に対して、番組バナー広告３５１が表示されているときにユーザが興味を持った場合、即座に番組の予約を可能とする。従って、番組表等から予約対象の番組を検索する手間を大幅に低減できる。
【００６９】
次に、番組バナー広告表示部３５０に対する操作部２５による操作によって、広告対象の放送番組を予約する第２の実施例としての動作フローおよび動作に対応する表示画面について、図８および図９を用いて説明する。図８および図９において、図６および図７と共通する部分についての説明は省略する。
【００７０】
図８において、制御部１０は操作部２５により番組バナー広告表示部３５０が操作されたと判断された場合は（ステップＳ１：Ｙｅｓ）、制御部１０は表示部３１に、図９（ａ）に示すように、番組バナー広告表示部３５０の近傍にポップアップメニュー３５５を表示する（ステップＳ１１）。
【００７１】
ステップＳ１１において、制御部１０は操作部２５の操作により予約選択部３５８が操作されたか否かを判断する（ステップＳ１２）。ステップＳ１２において予約選択部３５８が操作されたと判断された場合（ステップＳ１２：Ｙｅｓ）、操作を行った番組バナー広告３５１に対応付けられている番組予約情報を取得し（ステップＳ２）、図９（ｂ）に示すような番組予約画面を表示する（ステップＳ３）。ステップＳ１２において予約選択部３５８が操作されていないと判断された場合は（ステップＳ１２：Ｎｏ）、制御部１０は操作部２５の操作により決定選択部３５７が操作されたか否かを判断する（ステップＳ１３）。
【００７２】
ステップＳ１３において、決定操作部３５７が操作されたと判断された場合は（ステップＳ１３：Ｙｅｓ）、番組バナー広告３５１に含まれるリンク情報に基づきリンク先のＷｅｂコンテンツをメインコンテンツ表示部３３０に表示、または別画面として表示部３１に表示する（ステップＳ１４）。ステップＳ１４においてリンク先のＷｅｂコンテンツを表示部３１に表示すると、本処理は終了する。ステップＳ１３において、決定操作部３５７が操作されていないと判断された場合は（ステップＳ１３：Ｎｏ）、制御部１０は所定時間が経過したか否かを判断する（ステップＳ１５）。
【００７３】
ステップＳ１５において、所定時間が経過していないと判断された場合は（ステップＳ１５：Ｎｏ）、ステップＳ１２に遷移し、再度予約選択部３５８が操作されたか否かを判断する（ステップＳ１２）。ステップＳ１５において所定時間が経過したと判断された場合（ステップＳ１５：Ｙｅｓ）、ポップアップメニュー３５５を消去し（ステップＳ１６）、Ｓ１に戻り再度番組バナー広告表示部３５０が操作されたか否かを判断する（ステップＳ１）。
【００７４】
このような処理により、番組バナー広告表示部３５０に対する操作部２５による操作によって、リンク先のＷｅｂコンテンツを表示するのか、番組の予約を行うのかをユーザが任意に選択可能であり、且つ容易にその放送番組を予約することができる。
【００７５】
本発明の実施の形態は、その要旨を逸脱しない限り、様々に変更可能である。例えば、番組予約の一例として、番組の予約記録の例を説明したが、番組の予約表示であってもよい。番組の予約表示である場合は、番組予約情報に基づき番組開始時刻となった場合、制御部１０は放送受信部２１を制御して予約されている番組の放送チャンネルを受信する。さらに放送番組予約装置１００の図示しない電源部が待機モードであった場合は、待機モードを解除することによって放送受信部２１により受信した放送または放送受信部２１での受信に基づき通信部２３より受信するＩＰ配信番組を表示部３１に表示してもよい。
【００７６】
さらに、メインコンテンツ３３１が、放送受信部２１で受信しているラジオ放送に対して、ネットワーク４００を介して通信部２３により受信するサイマル放送である場合、本発明によって予約される番組はネットワーク４００を介して配信される音声データであってもよく、音声データの出力や記録に加えて同時に配信される画像や映像データに対して表示や記録を行ってもよい。
【００７７】
また、番組バナー広告３５１は、通信部２３により受信されるサイマル放送の放送データに付加されて受信され、サイマル放送を聴取することによって表示されることとしてもよい。
【００７８】
また、第２の実施例においては、番組バナー広告表示部３５０が操作部２５によって操作されることでポップアップメニュー３５５により、決定と予約を選択したが、番組バナー広告表示部３５０を操作部２５によって選択している状態で、操作部２５が有する決定操作ボタンまたは予約ボタンをユーザが操作することにより同様の操作を行ってもよい。
【符号の説明】
【００７９】
１００：放送番組予約装置、１１：制御部、２１：放送受信部、２２：復調部、２３：通信部（広告受信部）、２４：記憶部、２５：操作部、２６：音声制御部、２７：表示制御部、３０：音声出力部、３１：表示部、４００：ネットワーク
【図１】
2011244059.tif 000003
【図２】
2011244059.tif 000004
【図３】
2011244059.tif 000005
【図４】
2011244059.tif 000006
【図５】
2011244059.tif 000007
【図６】
2011244059.tif 000008
【図７】
2011244059.tif 000009
【図８】
2011244059.tif 000010
【図９】
2011244059.tif 000011